(57)【要約】【課題】  注出ポンプを柔軟な容器本体に装着して、操作部を押し下げたときにおける容器本体の変形を防止することができる注出ポンプの支持装置とそれを用いた注出ポンプと注出容器を提供する。【解決手段】  容器本体４０の注出ポンプ本体３０の吸い上げ管３２に固定した注出パイプ１に上下動自在にガイドリング２０を設け、ガイドリング２０に開閉脚自在に上側リンク１２を設け、注出パイプ１に開閉脚自在に下側リンクを設け、且つ、上下のリンク１２，２２をガイドリング２０の上下動を伴って連動して開閉脚するように連結し、容器口部から閉脚状態で挿入した前記リンク１２又は２２が開脚状態で容器底部４３に接する注出ポンプの支持装置とそれを用いた注出ポンプと注出容器。【選択図】  図１
2015199542.tif 000002
【特許請求の範囲】
【請求項１】
容器本体の口部に着脱自在に取付可能な注出ポンプの支持装置であって、前記ポンプの吸い上げ管に密着固定可能な注出パイプと、前記注出パイプに第１開閉連結部により開閉自在に設けた下側リンクと、第１開閉連結部の上方の注出パイプの外周に上下動可能に外嵌したガイドリングと、前記ガイドリングに第２開閉連結部により開閉自在に設けた上側リンクと、前記上側リンクと前記下側リンクとを前記ガイドリングの上下動を伴って開閉自在に連結する第３開閉連結部からなる注出ポンプの支持装置。
【請求項２】
前記注出パイプと下側リンク、ガイドリングと上側リンク、又は、上側リンクと下側リンクとを開閉自在に連結する第１、第２又は第３開閉連結部がヒンジ連結部からなる請求項１に記載の注出ポンプの支持装置。
【請求項３】
前記第１、第２又は第３開閉連結部のヒンジ連結部がプラスチックの一体成形により薄肉に成形して開閉自在に連結したヒンジ連結部からなる請求項２に記載の注出ポンプの支持装置。
【請求項４】
前記第１、第２又は第３開閉連結部のヒンジ連結部が個々に成形した一方のヒンジ軸部に他方の軸受部を嵌着して連結したヒンジ連結部からなる請求項２又は３に記載の注出ポンプの支持装置。
【請求項５】
前記ガイドリングを上動位置又は下動位置に停止させるストッパーを注出パイプに設けた請求項１乃至４のいずれかに記載の注出ポンプの支持装置。
【請求項６】
前記注出パイプと別体に設けたガイドリングを、前記注出パイプに嵌合して組立てなる請求項１乃至５のいずれかに記載の注出ポンプの支持装置。
【請求項７】
請求項１乃至６のいずれかに記載の注出パイプの支持装置を備えた注出ポンプ。
【請求項８】
請求項７に記載の注出ポンプを前記容器本体の口部に着脱自在に取り付ける注出容器において、前記注出容器が、押し潰して減容化が可能な軟質素材からなる注出容器
【発明の詳細な説明】
【技術分野】
【０００１】
本発明は、使用後に手で押し潰して減容が可能な柔軟な容器に好適な注出ポンプの支持装置とそれを用いた注出ポンプと注出容器に関する。
【背景技術】
【０００２】
従来、シャンプーやリンス、ハンドソープなどの液状物を取り出し可能に収容する容器として、口部を有する容器本体と、前記口部に着脱自在に取り付けた手動式の注出ポンプとを有し、容器本体から上方へ突出する注出ポンプの操作部を下方へ押し操作することで、容器本体に収容した内容物を操作部に設けた注出ノズルから吐出可能なポンプ付き注出容器は知られている。
【０００３】
特許文献１、２に記載のように、容器本体として、押し潰して減容が可能な薄肉の容器本体を用い、内容物を使い切った後は、容器本体から注出ポンプを取り外して、内容物が充填された詰め替え用の容器本体に該注出ポンプを取付け、空になった容器本体は押し潰して廃棄するように構成した注出ポンプ付き容器も提案されている。
【０００４】
特許文献１には、注出ポンプの吸い上げ管に、上方が管状で中間から下方が管を切り裂いて６本に開脚した支持脚部材が設けてあり、特許文献２には、注出ポンプの吸い上げ管に設けた注出パイプの外周に前記特許文献１と同様な上方が管状で中間から下方が管を切り裂いて３〜４本に開脚した支持脚部材が設けてある。
【先行技術文献】
【特許文献】
【０００５】
【特許文献１】特開２０１２−１８４０３３号
【特許文献２】特開２００１−２１３４８９号
【発明の概要】
【発明が解決しようとする課題】
【０００６】
いずれの支持脚部材も管の下端部からそのまま下方に開脚して設けてあるため、脚部が華奢で脆弱であり、管状との連結部も管部から下方に滑らかに反って成形されているから、手で押し下げるポンプ操作時に撓んだり折れ曲がって、充分な支持力が得られない怖れがあった。また、プラスチック一体成形で開脚状に製作するのも難しい課題があった。
【課題を解決するための手段】
【０００７】
そこで本発明は、特許請求の範囲の請求項１に記載のように、容器本体の口部に着脱自在に取付可能な注出ポンプの支持装置であって、前記ポンプの吸い上げ管に密着固定可能な注出パイプと、前記注出パイプに第１開閉連結部により開閉自在に設けた下側リンクと、第１開閉連結部の上方の注出パイプの外周に上下動可能に外嵌したガイドリングと、前記ガイドリングに第２開閉連結部により開閉自在に設けた上側リンクと、前記上側リンクと前記下側リンクとを前記ガイドリングの上下動を伴って開閉自在に連結する第３開閉連結部からなる注出ポンプの支持装置を提供しようとするものである。
【０００８】
また、本発明は、前記第３開閉連結部として上側リンクの先端部を下側リンクの中間部から先端部の間に設けた上向連結部に連結してなる請求項１に記載の注出ポンプの支持装置を提供しようとするものである。
【０００９】
また、本発明は、前記第３開閉連結部として下側リンクの先端部を上側リンクの中間部から先端部の間に設けた下向連結部に連結してなる請求項１に記載の注出ポンプの支持装置を提供しようとするものである。
【００１０】
また、本発明は、請求項２に記載のように、前記注出パイプと下側リンク、ガイドリングと上側リンク、又は、上側リンクと下側リンクとを開閉自在に連結する第１、第２又は第３開閉連結部がヒンジ連結部からなる請求項１に記載の注出ポンプの支持装置を提供しようとするものである。
【００１１】
また、本発明は、請求項３に記載のように、前記第１、第２又は第３開閉連結部のヒンジ連結部がプラスチックの一体成形により薄肉に成形して開閉自在に連結したヒンジ連結部からなる請求項２に記載の注出ポンプの支持装置を提供しようとするものである。
【００１２】
また、本発明は、請求項４に記載のように、前記第１、第２又は第３開閉連結部のヒンジ連結部が個々に成形した一方のヒンジ軸部に他方の軸受部を嵌着して連結したヒンジ連結部からなる請求項２又は３に記載の注出ポンプの支持装置を提供しようとするものである。
【００１３】
また、本発明は、閉脚状態で容器底面に接する上側リンク又は下側リンクの接触面が開脚方向に滑るように成形した滑り面からなる請求項１乃至４のいずれかに記載の注出ポンプの支持装置を提供しようとするものである。
【００１４】
また、本発明は、請求項５に記載のように、前記ガイドリングを上動位置又は下動位置に停止するストッパーを注出パイプに設けた請求項１乃至４のいずれかに記載の注出ポンプの支持装置を提供しようとするものである。
【００１５】
また、本発明は、前記ストッパーと前記ガイドリングとの間に弾力性を付与する弾力手段を設けた請求項５に記載の注出ポンプの支持装置を提供しようとするものである。
【００１６】
また、本発明は、請求項６に記載のように、前記注出パイプと別体に設けたガイドリングを、前記注出パイプに嵌合して組立てなる請求項１乃至５のいずれかに記載の注出ポンプの支持装置を提供しようとするものである。
【００１７】
また、本発明は、請求項７に記載のように、請求項１乃至６のいずれかに記載の注出ポンプの支持装置を備えた注出ポンプを提供しようとするものである。
【００１８】
また、本発明は、請求項８に記載のように、請求項７に記載の注出ポンプを前記容器本体の口部に着脱自在に取り付ける注出容器において、前記注出容器が、押し潰して減容化が可能な軟質素材からなる注出容器を提供しようとするものである。
【００１９】
また、本発明は、前記注出容器において、前記上側リンク及び前記下側リンクが閉脚した状態で容器口部から挿入し容器底部に上側又は下側のリンクが容器底部に接することによって容器底部に沿って拡張することからなる注出容器を提供しようとするものである。
【００２０】
また、本発明は、前記容器の胴部を折り畳可能な横断面多角形の筒状に構成した請求項７又は８に記載の注出容器を提供しようとするものである。
【００２１】
また、本発明は、前記容器胴部の断面が上側が狭く底部に行くに従って広く形成した請求項７又は８に記載の注出容器を提供しようとするものである。
【発明の効果】
【００２２】
本発明に係る注出ポンプの支持装置によれば、特許請求の範囲の請求項１に記載のように、容器本体の口部に着脱自在に取付可能な注出ポンプの支持装置であって、前記ポンプの吸い上げ管に密着固定可能な注出パイプと、前記注出パイプに第１開閉連結部により開閉自在に設けた下側リンクと、第１開閉連結部より上方の注出パイプの外周に上下動可能に外嵌したガイドリングと、前記ガイドリングに第２開閉連結部により開閉自在に設けた上側リンクと、前記上側リンクと前記下側リンクとをガイドリングの上下動を伴って開閉自在に連結する第３開閉連結部とからなる構成を有することにより、閉脚状態でいずれかのリンクの先端部が容器底面に接することによって上側リンクと下側リンクとが連動して開脚して注出ポンプの支持状態に移行し、注出ポンプ本体の吸い上げ管に上端部を密着固定した注出パイプ下端部の下側リンクとガイドリングの上側リングとを閉脚状態に保持した状態で、容器口部に注出ポンプ本体を装着していくと、前記いずれかのリンクが容器底部に当接しガイドリングの上動を伴って両リンクが開脚して、容器底部に接して支持力を与えることができる効果がある。
【００２３】
また、注出パイプに沿って底部方向に延びて下端部が容器本体の底部に当接する開脚可能なリンクは、ガイドリングの上動に伴って開脚するから、注出パイプとガイドリングとの間のストッパーや摩擦抵抗力やバネ弾力などによって、強靱な支持力をリンクに付与可能にすることができる効果がある。
【００２４】
また、本発明の支持脚部材が容器底部に当接して開脚する構成を有するから、従来の自然状態で復帰弾力的に開脚する支持脚部材が容器口部を通過すると同時に開脚して口部付近の容器壁に引っかかる怖れがあって、広い空間の容器肩部を要するのに比較して、本発明の支持脚部材は狭い肩部の容器にも、又、奥行きの深い容器にも容易に使用することができる効果がある。更に本発明の支持脚部材は下側リンクの展開に必要な面が確保されていればパウチ形状に依存することがないためパウチ選定の自由度が高まる。
【００２５】
また、本発明は、前記第３開閉連結部として上側リンクの先端部を下側リンクの中間部から先端部の間に設けた上向連結部に連結してなる構成を有することにより、閉脚状態で下側連結部が容器底部に当接して下側連結部の下面が広く容器底部に接して、注出ポンプを安定して強固に補強することを可能にする効果がある。
【００２６】
また、本発明は、前記第３開閉連結部として下側リンクの先端部を上側リンクの中間部から先端部の間に設けた下向連結部に連結してなる構成を有することにより、閉脚状態で上側連結部が容器底部に当接するから、広い開脚状態が得られて注出パイプを安定して強固に補強することを可能にする効果がある。
【００２７】
また、本発明は、請求項２に記載のように、前記注出パイプと下側リンク、ガイドリングと上側リンク、又は、上側リンクと下側リンクを開閉自在に連結する開閉連結部がヒンジ連結部からなる構成を有することにより、ヒンジ軸を中心に各リンクを確実に開閉連結することができる効果がある。
【００２８】
また、本発明は、請求項３に記載のように、前記ヒンジ連結部がプラスチックの一体成形により薄肉に成形して開閉自在に連結したヒンジ連結部からなる構成を有することにより、注出パイプと下側リンク、ガイドリングと上側リンク、又は、上側リンクと下側リンクを薄肉からなるヒンジ連結部により一体成形加工することができる効果がある。
【００２９】
また、本発明は、請求項４に記載のように、前記ヒンジ連結部が個々に成形した一方のヒンジ軸部に他方の軸受部を嵌着して連結したヒンジ連結部からなる構成を有することにより、個々に成形した部材の一方のヒンジ軸部に他方の軸受部を嵌着して一体に組み立てることができる効果がある。
【００３０】
また、本発明は、閉脚状態で容器底面に接する前記上側リンク又は前記下側リンクの接触面が開脚方向に滑るように成形した滑り面からなる構成を有することにより、閉脚状態がタイトで容器底部との滑り角度が小さくなっても接触面が開脚方向に滑ることによって円滑に開脚することができる効果がある。
【００３１】
また、本発明は、請求項５に記載のように、前記ガイドリングの上動位置又は下動位置を規制するストッパーを注出パイプに設けた構成を有するから、開脚状態又は閉脚状態を維持することが出来る効果があり、閉脚状態を維持することにより容器本体の口部を挿通してのポンプ本体の装着を容易にする効果がある。
【００３２】
また、本発明は、前記ストッパーと前記ガイドリングとの間に弾力性を付与する弾力手段を設けた構成を有することにより、開脚状態を弾力的に維持することができる効果がある。
【００３３】
また、本発明は、請求項６に記載のように、前記注出パイプと別体に設けたガイドリングを、前記注出パイプに嵌合して組立てなる構成を有することにより、成形及び組立を容易にする効果がある。
【００３４】
また、本発明に係る注出ポンプによれば、請求項７に記載のように、請求項１乃至６のいずれかに記載の注出ポンプの支持装置を注出ポンプ本体の吸い上げ管に一体に設けた構成を有することにより、請求項１乃至６のいずれかに記載の注出ポンプの支持装置を提供することができる効果がある。
【００３５】
また、本発明は、請求項８に記載のように、請求項７に記載の注出ポンプを前記容器本体の口部に着脱自在に取り付ける注出容器において、前記注出容器が、押し潰して減容化が可能な軟質素材からなる注出容器を提供することができる効果がある。
【００３６】
また、本発明は、前記注出容器において、上側リンク及び下側リンクが閉脚した状態で容器口部から挿入して容器底部に上側又は下側のリンクが容器底部に接することによって徐々に容器底部に沿って拡張することからなる注出ポンプを装着し易く奥行きの深い注出容器を提供することができる効果がある。
【００３７】
また、本発明は、容器の胴部を折り畳み可能な横断面多角の筒状に構成した注出容器を提供することができる効果がある。
【００３８】
また、本発明は、容器胴部の断面が上側が狭く底部に行くに従って広く形成した注出容器を提供することができる効果がある。
【図面の簡単な説明】
【００３９】
【図１】本発明の一実施例の要部を縦断して示す概略正面図。
【図２】その一実施例の要部の一使用態様を示す概略斜視図。
【図３】その一実施例の要部の他の使用態様を示す概略斜視図。
【図４】その一実施例の要部の一使用態様における概略正面図。
【図５】その一実施例の要部の一使用態様における概略平面図。
【図６】その一実施例の要部の他の使用態様における概略正面図。
【図７】その一実施例の要部の他の使用態様における概略平面図。
【図８】その一実施例の要部の一分解説明図。
【図９】その一実施例の要部の他の分解説明図。
【図１０】その一実施例の全体的な構成を一部を切り欠いて示す概略斜視図。
【図１１】その他の一実施例の使用状態を示す概略説明図。
【図１２】その他の一実施例の使用状態を示す概略説明図。
【図１３】本発明の他の一実施例の要部を縦断して示す概略正面図。
【図１４】その一実施例の要部の一使用態様を示す概略斜視図。
【図１５】その一実施例の要部の他の使用態様を示す概略斜視図。
【図１６】その一実施例の要部の一使用態様における概略縦断正面図。
【図１７】その一実施例の全体的な構成を示す概略斜視図。
【図１８】その一実施例の全体的な組立構成を一部切欠いて示す概略斜視図。
【図１９】その他の一実施例の要部の一使用態様を示す概略斜視図。
【図２０】その他の一実施例の要部の他の使用態様を示す概略斜視図。
【図２１】その他の一実施例の要部の一使用態様を示す概略斜視図。
【図２２】その他の一実施例の要部の他の使用態様を示す概略斜視図。
【発明を実施するための形態】
【００４０】
以下図示する実施例に基づいて本発明を説明する。
【実施例１】
【００４１】
図１乃至１０に示す実施例において、本発明に係る注出ポンプの支持装置１０によれば、図１又は図１０に記載のように、容器本体４０の口部４１の雄ネジ部４２に、注出ポンプ本体３０の雌ネジ部を内側に有する取付キャップ３１を着脱自在に螺合して、容器本体４０に注出ポンプ本体３０は取付られる。３４は吐出口３６を有する押し下げ用のポンプ操作部、３５はポンプ部である。ポンプ部３５は、ポンプ操作部３４に上動する復帰弾力を付与しており、押し下げると内容液を吐出口３６から吐出し、復帰弾力によりポンプ操作部３４が復帰するとき、ポンプ部３５内に内容液を吸引するように構成してある。４４は容器本体４０の口部取付部材である。
【００４２】
図１に記載のように、注出パイプ１は注出ポンプ本体３０の吸い上げ管３２に上端部を嵌着し密着固定してある。図１において、３３は吸い上げ管３２の細身の下端部で、周囲に上端部を固着したスペーサ管３７が一体に設けてある。このスペーサ管３７は吸い上げ管３２の補強用部材であって必須の構成部材ではない。スペーサ管３７の下端部は注出パイプ１の下端部内に連通している。
【００４３】
注出パイプ１の下端部側には、大径管部２が一体に設けてあり、注出ポンプ本体３０を容器本体４０に装着したときにその下端部３は容器底部４３に当接するように構成してある。４は大径管部２の下端部に設けた注出溝部である。
【００４４】
図３又は図６に記載のように、注出パイプ１の大径管部２の上端部には複数個の縦割溝５を有する複数個のストッパー６が弾性変形可能に一体に設けてあり、注出パイプ１は縦割溝５の底部において大径管部２と連通するように構成してある。外観的にはストッパー６は大径管部２の外周と一体をなしている。大径管部２の外周には上下動可能にガイドリング２０が前記弾性変形可能な縦割溝５を有するストッパー６を乗り越えて嵌着してある。
【００４５】
注出パイプ１の下端部３付近には第１開閉連結部１１により、図３、図６又は図７に示す閉じた位置と、図２，図４又は図５に示す開いた位置に開閉自在に３組の下側リンク１２が等間隔で３方に設けてある。図示の下側リンク１２の第１開閉連結部１１は、大径管部２の下端部３の外周に突設した連結基部１３と下側リンク１２の基部との間にＸ溝状の交点が薄肉状になる薄肉連結部１４を設けて連結してある。この薄肉連結部１４はヒンジ軸として開閉支点軸となり、第１開閉連結部１１はヒンジ連結部を構成している。
【００４６】
注出パイプ１の外周に上下動可能に設けたガイドリング２０の下端外周部には、第２開閉連結部２１により、図３、図６又は図７に示す閉じた位置と、図２，図４又は図５に示す開いた位置に開閉自在に３組の上側リンク２２が３方向に設けてある。
【００４７】
図示の上側リンク２２の第２開閉連結部２１は、ガイドリング２０の下端部外周に突設した連結基部２３と上側リンク２２の基部との間にＸ溝状の交点が薄肉状になる薄肉連結部２４を設けて連結してある。この薄肉連結部２４はヒンジ軸として開閉支点軸となり、第２開閉連結部２１はヒンジ連結部を構成している。
【００４８】
この実施例の場合、上側リンク２２と下側リンク１２との間には、ガイドリング２０の上下動を伴って両者を開閉自在に連結する第３開閉連結部２５が設けてある。下部リンク１２の先端部には開き状態で上側に突出したヒンジ支持枠１７とヒンジ軸１６とからなる上向連結部１５が設けてあると共に、上側リンク２２の先端部には前記ヒンジ軸１６が弾性的に嵌着する嵌着隙間を有するヒンジ連結軸受２６が設けてある。
【００４９】
上記の実施例の構成においては、図８及び図９を参照して説明すると、注出パイプ１の大径管部２に、ガイドリング２０を逆止係止突起状のストッパー６を乗り越えて嵌合し、その下端部に設けた上側リンク２２の先端部に設けたヒンジ連結軸受２６を、大径管部２の下端部に設けた下側リンク１２の上向連結部１５のヒンジ軸１６に嵌着して連結して他の図に記載のように組み立てることができる。
【００５０】
この組立状態で、図１又は図２等に記載のように、下側リンク１２の下面が容器底部に当接して水平になる位置で、ガイドリング２０がストッパー６に当接し上側リンク２２が最大開脚状態で下側リンク１２を支持することとなり、注出パイプ１に加わる横方向の力に対抗することができる。また、上側リンク２２を下側リンク１２を伴って下方に閉じる場合には、ガイドリング２０が大径管部２の下端部に移動し、上側リンク２２と下側リンク１２は図３、図６又は図７に記載のように、閉じ状態になる。
【００５１】
この閉じ状態で、下側リンク１２の上側に上側リンク２２の下側が密着するように構成することによって、閉じ状態の上側リンク２２が図７に記載のように外方に突出せず、閉じ状態での外径を小さくすることができる。また、閉じ状態で容器底部４３に当接する下側リンク１２の先端部は開き方向に滑らかな滑り面１８を構成してある。
【００５２】
なお、実施例１では上下側のリンク２２，１２の組合せが三方に開閉脚する３組の構成であるが、その組合せは１組を含めて２組以上に適宜選択して構成することができる。小型容器用としては６組以内、大型容器にあってはそれ以上にでき、１２組以上であっても可能である。
【００５３】
上記の構成からなる注出ポンプの支持装置１０は、図１に記載のように、注出ポンプ本体３０の吸い上げ管３２に注出パイプ１の上端部８を密着固定してある。注出パイプ１の下端部の大径管部２において、ガイドリング２０を押し下げ上下側のリンク２２，１２を閉じた状態で、容器本体４０の容器口部４１に注出ポンプ本体３０をリンク２２，１２側から挿入して装着することとなる。
【００５４】
このとき、大径管部２の下端部が容器底部４３に接近すると支持装置１０の下側リンク１２の下端部が容器底面に接して開脚を開始し、ガイドリング２０は上側リンク２２に押されて大径管部２の上部に向かって移動し、図１に記載のように、下側リンク１２が容器底部４３に水平に接する位置で、ガイドリング２０がストッパー６に当接して係止され、注出パイプ１の横揺れを強固に防止し、強力に支持することとなる。
【００５５】
即ち、注出ポンプ本体３０が柔軟な袋体からなる容器本体４０に装着された図１又は図１０の状態で、ポンプ操作部３４を押し下げると、その力は、吸い上げ管３２と一体な注出パイプ１から大径管部２に伝達されストッパー６に係止されたガイドリング２０と上側リンク２２及び下側リンク１２が一体となって強固に容器本体４０を支持することとなる。
【００５６】
なお、注出ポンプ本体３０を容器本体４０の口部４１から取り外すときには、上下側のリンク２２，１２が開脚していても上側リンク１２に口部４１が当たることによって閉脚されてそのまま離脱することができ、この場合、離脱後にガイドリング２０を下方に降下させて上下側のリンク２２，１２を閉脚させれば、再度充填済みの容器本体４０に装着することができる。
【実施例２】
【００５７】
実施例２は、ストッパー６とガイドリング２０との間の大径管部２の周囲に、ゴム製又はプラスチック製の弾性リング、或いは金属製の巻きバネなどの弾力手段を設けた構成にすることにより、開脚状態で上側リンク２２及び下側リンク１２に加わる力をガイドリング２０とストッパー６間の弾力手段で弾力的に吸収することができるようにしたものである。
【実施例３】
【００５８】
実施例３は、図１１又は図１２に記載のように、上側リンク２２と下側リンク１２との第３開閉連結部２５を薄肉連結部２７で一体に連結した構成のものである。
図１１の実施例の場合、上側リンク２２とガイドリング２０との第２開閉連結部２１は、実施例１と同様に薄肉連結部２４で一体に連結してあるのに対して、下側リンク１２と大径管部２との第１開閉連結部１１は、大径管部２側のヒンジ支持枠１８で支持したヒンジ軸に、下側リンク１２側のヒンジ連結軸受１９が嵌着した構成を有する。従って、成形加工は、ガイドリング２０と上側リンク２２及び下側リンク１２は薄肉連結部を２４、２７で連結したプラスチックの一体成形で加工でき、これを別体に加工したヒンジ軸を有する大径管部２と連結して組み立てることとなる。
【００５９】
これに対して、図１２の実施例の場合、上側リンク２２とガイドリング２０との第２開閉連結部２１は、実施例１とは異なり、ガイドリング２０側のヒンジ支持枠２８で支持したヒンジ軸に、上側リンク２２側のヒンジ連結軸受２９が嵌着した構成を有する。上側リンク２２と下側リンク１２との第３開閉連結部２５、下側リンクと１２と大径管部２との第１開閉連結部１１は、薄肉連結部２７及１４で一体に連結した構成を有する。
従って、成形加工は、大径管部２と下側リンク１２及び上側リンク２２は薄肉連結部を１４、２７で連結したプラスチックの一体成形で加工でき、これを別体に加工したヒンジ軸を有するガイドリング２０と連結して組み立てることとなる。
【実施例４】
【００６０】
図１３乃至１８に示す実施例４において、本発明に係る注出パイプ１０１の支持装置１１０によれば、図１３、図１７又は図１８に記載のように、容器本体１４０の口部１４１の雄ネジ部１４２に、注出ポンプ本体１３０の雌ネジ部を内側に有する取付キャップ１３１を着脱自在に螺合して、容器本体１４０に注出ポンプ本体１３０は取付られる。１３４は吐出口１３６を有する押し下げ用のポンプ操作部、１３５はポンプ部でその下端部に吸い上げ管１３２が一体に連結してある。１４４は容器本体１４０の口部取付部材である。
【００６１】
図１３に記載のように、注出パイプ１０１は注出ポンプ本体１３０の吸い上げ管１３２に上端部を嵌着し密着固定してある。この吸い上げ管１３２はプラスチック成形品で形成されていることが好ましいが、シリコンチューブであっても良い。図１３において、１３３は吸い上げ管１３２の細身の下端部で、周囲に抜け止め用の突起１３７が設けてあり、注出パイプ１０１の上端部の内管壁部に設けた抜け止め突起１０７と密着固定するように設けてある。
【００６２】
注出パイプ１０１の下端部側には、大径管部１０２が一体に設けてあり、注出ポンプ本体１３０を容器本体１４０に装着したときにその下端部１０３は容器底部１４３に当接するか、僅かに上方に位置するように構成してある。１０４は大径管部１０２の下端部に設けた注出溝部である。
【００６３】
注出パイプ１０１の外周には上下動可能にガイドリング１２０が設けてある。ガイドリング１２０は注出パイプ１０１の大径管部１０２の外周に密着して上下動する内管壁部を具備すると共に、上端部には細身の注出パイプ１０１の外周に密着して上下動可能なストッパー１０６が弾性変形可能に一体に設けてある。実施例の場合、ストッパー１０６には複数個の縦割溝１０５が設けてあり、注出パイプ１０１の上部外壁に設けたストッパー突起１０８の嵌合傾斜面を弾性変形可能に乗り越えて細身の注出パイプ１０１に嵌着するように構成してある。
【００６４】
また、注出パイプ１０１の細身の下端部には、大径管部１０２の肩部との間に前記ストッパー１０６が着脱自在に嵌合するように位置して閉脚用ストッパー１０９が設けてある。
【００６５】
注出パイプ１０１の大径管部１０２の下端部１０３付近には第１開閉連結部１１１により、図１３、図１４又は図１８に示す開いた位置と、図１５，図１６又は図１７に示す閉じた位置に開閉自在に３組の下側リンク１１２が等間隔で３方に設けてある。図示の下側リンク１１２の第１開閉連結部１１１は、大径管部１０２の下端部１０３の外周に突設した連結基部１１３と下側リンク１１２の基部との間にＸ溝状の交点が薄肉状になる薄肉連結部１１４を設けて連結してある。この薄肉連結部１１４はヒンジ軸として開閉支点軸となり、第１開閉連結部１１１はヒンジ連結部を構成している。
【００６６】
注出パイプ１０１の外周に上下動可能に設けたガイドリング１２０の下端外周部には、第２開閉連結部１２１により、図１３、図１４又は図１８に示す開いた位置と、図１５，図１６又は図１７に示す閉じた位置に開閉する３組の上側リンク１２２が３方向に設けてある。
【００６７】
図示の上側リンク１２２の第２開閉連結部１２１は、ガイドリング１２０の下端部外周に突設した連結基部１２３と上側リンク１２２の基部との間にＸ溝状の交点が薄肉状になる薄肉連結部１２４を設けて連結してある。この薄肉連結部１２４はヒンジ軸として開閉支点軸となり、第２開閉連結部１２１はヒンジ連結部を構成している。
【００６８】
この実施例の場合、上側リンク１２２と下側リンク１１２との間には、ガイドリング１２０の上下動を伴って両者を開閉自在に連結する第３開閉連結部１２５が設けてある。下側リンク１１２の先端部には開き状態で上側に突出した支持枠１１７とヒンジ軸１１６とからなる上向連結部１１５が設けてあると共に、上側リンク１２２の先端部には前記ヒンジ軸１１６が弾性的に嵌着する嵌着隙間を有するヒンジ連結軸受１２６が設けてある。なお、支持枠１１７は曲率を有しており、例えばＲ形状で形成されていることが好ましく、落下時に破袋を防ぐことができる。又、ヒンジ軸１１６が歯車であり、ヒンジ連結軸受１２６が歯車に対応するものであっても良い。
【００６９】
上記の実施例の構成においては、図１４及び図１５を参照して説明すると、注出パイプ１０１の大径管部１０２に、ガイドリング１２０を逆止係止突起状のストッパー１０８を乗り越えて嵌合し、その下端部に設けた上側リンク１２２の先端部に設けたヒンジ連結軸受１２６を、大径管部１０２の下端部に設けた下側リンク１１２の上向連結部１１５のヒンジ軸１１６に嵌着して連結して組み立てることができる。
【００７０】
この組立状態で、図１３又は図１８等に記載のように、下側リンク１１２の下面が容器底部１４３に当接して水平になる位置で、ガイドリング１２０のストッパー１０６が注出パイプ１０１の上端外周部に設けたストッパー１０８に当接し上側リンク１２２が最大開脚状態で下側リンク１１２を支持することとなり、注出パイプ１０１に加わる横方向の力に対抗することができる。  また、上側リンク１２２を下側リンク１１２を伴って下方に閉じる場合には、ガイドリング１２０が大径管部１０２に沿って下端部に移動し、ガイドリング１２０のストッパー１０６が注出パイプ１０１の細身の下端部に設けた閉脚用ストッパー１０９に嵌着し、上側リンク１２２と下側リンク１１２は図１５、図１６又は図１７に記載のように、閉じ状態に維持されることとなる。
また、上側リンク１２２の背部には山形の閉脚用突起１２８が突設してあり、容器本体１４０から注出ポンプ本体１３０を抜き取るときに、口部１４１に閉脚用突起１２８が当接して上側リンク１２２が下側リンク１１２を伴って閉脚することとなる。
【００７１】
この閉じ状態で、下側リンク１１２の上側に上側リンク１２２の下側が密着するように構成することによって、閉じ状態の上側リンク１２２の外径を図１６に記載のようにできるだけ小さくすることができる。また、閉じ状態で容器底部１４３に当接する下側リンク１１２の先端部は開き方向に滑らかな滑り面１１８を構成してある。
【００７２】
なお、この実施例では上下側のリンク１２２，１１２の組合せが三方に開閉脚する３組の構成であるが、その組合せは１組を含めて２組以上に適宜選択して構成することができる。小型容器用としては６組以内、大型容器にあってはそれ以上にでき、１２組以上であっても可能である。
【００７３】
上記の構成からなる注出ポンプの支持装置１１０は、図１３に記載のように、注出ポンプ本体１３０の吸い上げ管１３２に注出パイプ１０１の上端部を密着固定してある。注出パイプ１０１の下端部の大径管部１０２において、ガイドリング１２０を押し下げ上下側のリンク１２２，１１２を閉じた状態で、容器本体１４０の容器口部１４１に注出ポンプ本体１３０をリンク１２２，１１２側から挿入して装着することとなる。
【００７４】
このとき、大径管部１０２の下端部が容器底部１４３に接近すると支持装置１１０の下側リンク１１２の下端部が容器底面１４３に接して開脚を開始し、ガイドリング１２０は上側リンク１２２に押されて大径管部１０２の上部に向かって移動し、図１３に記載のように、下側リンク１１２が容器底部１４３に水平に接する位置で、ガイドリング１２０がストッパー１０６に当接して係止され、注出パイプ１０１の横揺れを強固に防止し、強力に支持することとなる。
【００７５】
即ち、注出ポンプ本体１３０が柔軟な袋体からなる容器本体１４０に装着された図１３又は図１８の状態で、ポンプ操作部１３４を押し下げると、その力は、吸い上げ管１３２と一体な注出パイプ１０１、大径管部１０２に伝達されストッパー１０６に係止されたガイドリング１２０と上側リンク１２２及び下側リンク１１２が一体となって強固に容器本体１４０を支持することとなる。
【００７６】
なお、注出ポンプ本体１３０を容器本体１４０の口部１４１から取り外すときには、上下側のリンク１２２，１１２が開脚していても上側リンク１２２に口部１４１が当たることによって閉脚されてそのまま離脱することができ、この場合、離脱後のガイドリング１２０は、ストッパー１０６が注出パイプ１０１の細身の下端部に設けた閉脚用ストッパー１０９に嵌着し、上側リンク１２２と下側リンク１１２は図１５、図１６又は図１７に記載のように、閉じ状態に維持されることとなり、図１７に記載のように、再度充填済みの容器本体１４０に装着することができる。
【実施例５】
【００７７】
実施例５は、図１９又は図２０において、板状の下側リンク２１２の先端部２１３が上向連結部２１５を越えて更に板状部を延長した形で設けてある構成である。この実施例５の場合、装着時に延長した先端部２１３だけ下側リンク２１２の容器底部１４３との接触が早くなると共に、延長しただけ支持状態での支持接触面が増大する効果がある。２０８は下側リンク２１２の先端部２１３の滑り面、２２５は第３開閉連結部を構成する第３ヒンジ連結部である。他の構造は先の実施例と同じである。
【実施例６】
【００７８】
実施例６は、図２１又は図２２に記載のように、上側リンク２２２の中間に下側に向かってヒンジ連結軸受２２６を設けて、下側リンク１１２の先端に設けた支持枠１７とヒンジ軸１６と同様の構成からなる上向連結部を嵌合して第３開閉連結部２２５を構成したものである。この場合には、上側リンク２２２の先端部２２３を延長して上側リンク２２２の先端部の滑り面２２４が先に容器底部１４３に接して開脚することとなり、上側リンク２２２の先端部が開脚して容器底部１４３に立ち上がった形態で支持することとなる。
【００７９】
従って、この場合には、上側リンク２２２が開脚して先端部２２４が容器底部１４３に当接した状態で、注出パイプ１０１の大径管部１０２の下端部も同時に容器底面１４３に当接するように、大径管部１０２に第１開閉連結１１１より下方に注出パイプの延長部を設けることが好ましい。
【符号の説明】
【００８０】
１      注出パイプ
２      大径管部
４      注出溝部
５      縦割溝
６      ストッパー
１０    注出ポンプの支持装置
１１    第１開閉連結部
１２    下側リンク
１３    連結基部
１４    薄肉連結部
１５    上向連結部
１６    ヒンジ軸
１７    ヒンジ支持枠
１８    滑り面
２０    ガイドリング
２１    第２開閉連結部
２２    上側リンク
２３    連結基部
２４    薄肉連結部
２５    第３開閉連結部
２６    ヒンジ連結軸受
２７    薄肉連結部
２８    ヒンジ支持枠
２９    ヒンジ連結軸受
３０    注出ポンプ本体
３１    取付キャップ
３２    吸い上げ管
３３    吸い上げ管下端部
３４    ポンプ操作部
３５    ポンプ部
３６    吐出口
３７    スペーサ管
４０    容器本体
４１    口部
４２    雄ネジ部
４３    底部
４４    口部取付部材
１０１  注出パイプ
１０２  大径管部
１０４  注出溝部
１０５  縦割溝
１０６  ストッパー
１０７  抜け止め突起
１０８  ストッパー
１０９  閉脚用ストッパー
１１０  注出ポンプの支持装置
１１１  第１開閉連結部
１１２  下側リンク
１１３  連結基部
１１４  薄肉連結部
１１５  上向連結部
１１６  ヒンジ軸
１１７  ヒンジ支持枠
１１８  滑り面
１２０  ガイドリング
１２１  第２開閉連結部
１２２  上側リンク
１２３  連結基部
１２４  薄肉連結部
１２５  第３開閉連結部
１２６  ヒンジ連結軸受
１２７  薄肉連結部
１２８  閉脚用突起
１３０  注出ポンプ本体
１３１  取付キャップ
１３２  吸い上げ管
１３３  吸い上げ管下端部
１３４  ポンプ操作部
１３５  ポンプ部
１３６  吐出口
１３７  抜け止め突起
１４０  容器本体
１４１  口部
１４２  雄ネジ部
１４３  底部
１４４  口部取付部材
２０８  滑り面
２１２  下側リンク
２１３  先端部
２１５  上向連結部
２２２  上側リンク
２２５  第３ヒンジ連結部
２２６  ヒンジ連結軸受
【図１】
2015199542.tif 000003
【図２】
2015199542.tif 000004
【図３】
2015199542.tif 000005
【図４】
2015199542.tif 000006
【図５】
2015199542.tif 000007
【図６】
2015199542.tif 000008
【図７】
2015199542.tif 000009
【図８】
2015199542.tif 000010
【図９】
2015199542.tif 000011
【図１０】
2015199542.tif 000012
【図１１】
2015199542.tif 000013
【図１２】
2015199542.tif 000014
【図１３】
2015199542.tif 000015
【図１４】
2015199542.tif 000016
【図１５】
2015199542.tif 000017
【図１６】
2015199542.tif 000018
【図１７】
2015199542.tif 000019
【図１８】
2015199542.tif 000020
【図１９】
2015199542.tif 000021
【図２０】
2015199542.tif 000022
【図２１】
2015199542.tif 000023
【図２２】
2015199542.tif 000024